(57)【要約】  本発明は、着用者が歩行する際に腕を振ることを促進させるウェアを提供することを課題とする。本発明に係るウェアは、伸縮性を有する基部（１ａ，２ａ）と、基部（１ａ，２ａ）よりも伸縮率が小さい低伸縮部（１ｂ，２ｂ）とを備え、低伸縮部（１ｂ，２ｂ）は、袖（１）に配置される第１低伸縮部（１ｂ，１ｂ）と、身頃（２）の後方側に配置され、第１低伸縮部（１ｂ，１ｂ）同士を連結する第２低伸縮部（２ｂ）とを備えることを特徴とする。
2010100721.tif 000002
【特許請求の範囲】
【請求項１】
伸縮性を有する基部と、基部よりも伸縮率が小さい低伸縮部とを備えるウェアにおいて、
低伸縮部は、各袖に配置される第１低伸縮部と、身頃の後方側に配置され、第１低伸縮部同士を連結する第２低伸縮部とを備え、
身頃は、各袖を接続する袖ぐりの下端部より少なくとも上方側で且つ前方側が基部のみからなるように構成されることを特徴とするウェア。
【請求項２】
伸縮性を有する基部と、基部よりも伸縮率が小さい低伸縮部とを備えるウェアにおいて、
低伸縮部は、各袖に配置される第１低伸縮部と、身頃の後方側に配置され、第１低伸縮部同士を連結する第２低伸縮部とを備え、さらに、身頃の前方側に配置される場合には、各第１低伸縮部と離間して配置されることを特徴とするウェア。
【請求項３】
伸縮性を有する基部と、基部よりも伸縮率が小さい低伸縮部とを備えるウェアにおいて、
低伸縮部は、袖を腕に密着させるべく、各袖に配置される第１低伸縮部と、一方の腕が前方に振られることに伴って、一方の第１低伸縮部が前方に引かれることにより、他方の第１低伸縮部を後方に引くべく、身頃の後方側に配置されて第１低伸縮部同士を連結する第２低伸縮部とを備えることを特徴とするウェア。
【請求項４】
身頃は、前方側が基部のみからなるように構成される請求項１に記載のウェア。
【請求項５】
第２低伸縮部は、棘下筋の少なくとも一部を覆うように配置される請求項１〜４の何れか１項に記載のウェア。
【請求項６】
第２低伸縮部は、棘下筋の上半分のみを覆うように配置される請求項５に記載のウェア。
【請求項７】
各第１低伸縮部は、袖の後方側に配置される請求項１〜４の何れか１項に記載のウェア。
【請求項８】
各第１低伸縮部は、上腕三頭筋長頭の少なくとも一部を覆うように配置される請求項７に記載のウェア。
【請求項９】
各袖は、後方寄りに身頃と接続される請求項１〜４の何れか１項に記載のウェア。
【発明の詳細な説明】
【技術分野】
【０００１】
本発明は、伸縮性を有する基部と、基部よりも伸縮率が小さい低伸縮部とを備えるウェアに関する。
【背景技術】
【０００２】
従来、ウェアとして、伸縮性を有する基部と、基部よりも伸縮率が小さい低伸縮部とを備えるウェアが知られている。具体的には、例えば、肩周りに低伸縮部を備えるウェア（例えば、特許文献１）や、胴周りに低伸縮部を備えるウェア（例えば、特許文献２）が提案されている。【０００３】
前者のウェアは、肩周りに配置される低伸縮部により、テーピングを行うことなく、上腕、肩関節、肩甲骨の位置関係を望ましい位置に保つことができる。したがって、肩関節やその近傍における筋肉の障害の予防や治療を促進させる。【０００４】
また、後者のウェアは、胴回りを一周するように配置される低伸縮部により、腕を振る際に、腕、肩、胸の筋肉に負荷をかける。したがって、上半身の筋力を鍛えたり、消費エネルギー量を増加させたりすることができるため、全身持久力の向上や心肺能力の向上を促進させる。
【特許文献１】日本国特開平９−２５０００８号公報
【特許文献２】日本国特開２００８−７５２１６号公報
【特許文献３】国際公開第２００７／００７４３３号パンフレット
【特許文献４】日本国特開２００４−４４０７０号公報
【発明の開示】
【発明が解決しようとする課題】
【０００５】
しかしながら、特許文献１に係るウェアは、テーピング効果により、着用者が歩行する際に腕を振ることを抑制させるものであり、また、特許文献２に係るウェアは、着用者の腕等に負荷をかけるため、着用者が歩行する際に腕を振ることを抑制させるものである。【０００６】
なお、運動時の肩や腕の動きを促進させるものとして、特許文献３及び４に係るウェアが提案されているが、特許文献３に係るウェアは、腕を持ち上げる動作を促進させるものであり、また、特許文献４に係るウェアは、肩や腕の動きを促進させるものである。しかしながら、これらのウェアが促進させる運動時の肩や腕の動きと、歩行する際の腕の動きとは、異なるものである。【０００７】
よって、本発明は、かかる事情に鑑み、着用者が歩行する際に腕を振ることを促進させるウェアを提供することを課題とする。
【課題を解決するための手段】
【０００８】
本発明に係るウェアは、伸縮性を有する基部と、基部よりも伸縮率が小さい低伸縮部とを備えるウェアにおいて、低伸縮部は、各袖に配置される第１低伸縮部と、身頃の後方側に配置され、第１低伸縮部同士を連結する第２低伸縮部とを備え、身頃は、各袖を接続する袖ぐりの下端部より少なくとも上方側で且つ前方側が基部のみからなるように構成されることを特徴とする。【０００９】
本発明に係るウェアによれば、各第１低伸縮部が袖に配置されるため、袖を腕に密着させる。そして、第２低伸縮部が身頃の後方側に配置されて第１低伸縮部同士を連結するため、一方の腕が前方に振られることに伴って、一方の第１低伸縮部が前方に引かれることにより、他方の第１低伸縮部を後方に引くことができる。【００１０】
したがって、着用者が腕の振り（特に後方への振り）を大きくできる。しかも、身頃は、各袖を接続する袖ぐりの下端部より少なくとも上方側で且つ前方側が基部のみからなるように構成されるため、着用者が腕の振りを大きくすることを抑制（妨害）させることはない。【００１１】
また、本発明に係るウェアは、伸縮性を有する基部と、基部よりも伸縮率が小さい低伸縮部とを備えるウェアにおいて、低伸縮部は、各袖に配置される第１低伸縮部と、身頃の後方側に配置され、第１低伸縮部同士を連結する第２低伸縮部とを備え、さらに、身頃の前方側に配置される場合には、各第１低伸縮部と離間して配置されることを特徴とする。【００１２】
本発明に係るウェアによれば、各第１低伸縮部が袖に配置されるため、袖を腕に密着させる。そして、第２低伸縮部が身頃の後方側に配置されて第１低伸縮部同士を連結するため、一方の腕が前方に振られることに伴って、一方の第１低伸縮部が前方に引かれることにより、他方の第１低伸縮部を後方に引くことができる。したがって、着用者が腕の振り（特に後方への振り）を大きくできる。【００１３】
そして、第１低伸縮部及び第２低伸縮部とは別の低伸縮部が、身頃の前方側に配置されていない場合は、身頃は、当然、着用者が腕の振りを大きくすることを抑制（妨害）させることはない。しかも、第１低伸縮部及び第２低伸縮部とは別の低伸縮部が、身頃の前方側に配置される場合は、当該低伸縮部は、各第１低伸縮部と離間して配置される。これにより、当該低伸縮部は、身頃の前方側に配置されているにも関わらず、着用者が腕の振りを大きくすることを抑制（妨害）させることはない。【００１４】
また、本発明に係るウェアは、伸縮性を有する基部と、基部よりも伸縮率が小さい低伸縮部とを備えるウェアにおいて、低伸縮部は、袖を腕に密着させるべく、各袖に配置される第１低伸縮部と、一方の腕が前方に振られることに伴って、一方の第１低伸縮部が前方に引かれることにより、他方の第１低伸縮部を後方に引くべく、身頃の後方側に配置されて第１低伸縮部同士を連結する第２低伸縮部とを備えることを特徴とする。【００１５】
本発明に係るウェアによれば、各第１低伸縮部が袖に配置されるため、袖を腕に密着させる。そして、第２低伸縮部が身頃の後方側に配置されて第１低伸縮部同士を連結するため、一方の腕が前方に振られることに伴って、一方の第１低伸縮部が前方に引かれることにより、他方の第１低伸縮部を後方に引くことができる。したがって、着用者が腕の振り（特に後方への振り）を大きくできる。【００１６】
また、本発明に係るウェアにおいては、身頃は、前方側が基部のみからなるように構成されてもよい。【００１７】
斯かる構成のウェアによれば、身頃は、前方側が基部のみからなるように構成されるため、着用者が腕の振りを大きくすることを抑制（妨害）させることはない。【００１８】
また、本発明に係るウェアにおいては、第２低伸縮部は、棘下筋の少なくとも一部を覆うように配置されてもよい。【００１９】
斯かる構成のウェアによれば、第２低伸縮部が棘下筋の少なくとも一部を覆うように配置されるため、第２低伸縮部が棘下筋を押さえ、その結果、着用者の腕が外旋するような力を受ける。したがって、着用者は、腕を真っ直ぐ振ることができるため、歩行する際に、腕の振りをより大きくすることができる。【００２０】
また、本発明に係るウェアにおいては、第２低伸縮部は、棘下筋の上半分のみを覆うように配置されてもよい。【００２１】
斯かる構成のウェアによれば、第２低伸縮部が棘下筋の上半分のみを覆うように配置されるため、基部が棘下筋の下半分を覆うことになる。したがって、第２低伸縮部は、腕が振られる（歩行の）際に、腕が外旋することを促進させると共に、基部は、腕が側方へ外転される（特に挙上される）際に、肩甲骨の下方側が側方へ開くことを妨げない。その結果、腕を大きく振ることができるだけでなく、腕を円滑に上げる（挙上する）こともできるため、長時間着用されても、着用者の身体に負担をかけることがない。【００２２】
また、本発明に係るウェアにおいては、各第１低伸縮部は、袖の後方側に配置されてもよい。【００２３】
斯かる構成のウェアによれば、各第１低伸縮部が袖の後方側に配置されているため、着用者が前方へ腕を振ると、当該腕に配置される第１低伸縮部が伸長する。これにより、第１低伸縮部は、収縮しようとするため、後方に向けて着用者の腕を付勢する。したがって、着用者が腕を後方へ振ることを助長できる。【００２４】
また、本発明に係るウェアにおいては、各第１低伸縮部は、上腕三頭筋長頭の少なくとも一部を覆うように配置されてもよい。【００２５】
斯かる構成のウェアによれば、各第１低伸縮部が上腕三頭筋長頭の少なくとも一部を覆うように配置されるため、各第１低伸縮部が上腕三頭筋長頭を押さえ、その結果、着用者の腕が後方へ傾くような力を受ける。したがって、着用者が腕の振りをさらに大きくできる。【００２６】
また、本発明に係るウェアにおいては、各袖は、後方寄りに身頃と接続されてもよい。【００２７】
斯かる構成のウェアによれば、各袖が後方寄りに身頃と接続されているため、着用者は、袖を身体の中心に向けて前方へ変位するように、身頃の後方側（背中側）を横方向に伸ばそうとする。しかしながら、身頃の後方側に配置される第２低伸縮部が当該伸びを規制する。したがって、着用者の腕（特に付け根）が後方へ向けて押されるような力を受けるため、着用者が腕の後方への振りをさらに大きくできる。
【発明の効果】
【００２８】
以上の如く、本発明に係るウェアによれば、一方の腕が前方に振られることに伴って、一方の第１低伸縮部が前方に引かれることにより、他方の第１低伸縮部を後方に引くことができるため、着用者が腕の振りを大きくでき、その結果、着用者が歩行する際に腕を振ることを促進させるという優れた効果を奏する。
【図面の簡単な説明】
【００２９】
【図１】本発明の一実施形態に係るウェアの着用されていない状態の全体図であって、（ａ）は正面図、（ｂ）は背面図を示す。
【図２】同実施形態に係るウェアの着用された状態の全体図であって、（ａ）は正面図、（ｂ）は背面図を示す。
【図３】同実施形態に係るウェアの着用された状態の全体図であって、（ａ）は右側面図、（ｂ）は上面図（平面図）を示す。
【図４】同実施形態に係るウェアの作用を説明する全体図であって、（ａ）は後方斜視図、（ｂ）は上面図（平面図）を示す。
【図５】本発明の他の実施形態に係るウェアの全体図であって、（ａ）は正面図、（ｂ）は背面図を示す。
【図６】本発明のさらに他の実施形態に係るウェアの全体図であって、（ａ）及び（ｂ）はそれぞれ背面図を示す。
【図７】本発明のさらに他の実施形態に係るウェアの全体図であって、（ａ）は正面図、（ｂ）は背面図を示す。
【図８】本発明のさらに他の実施形態に係るウェアの全体図であって、（ａ）及び（ｂ）はそれぞれ背面図を示す。
【図９】本発明のさらに他の実施形態に係るウェアの全体図であって、（ａ）及び（ｂ）はそれぞれ背面図を示す。
【図１０】本発明のさらに他の実施形態に係るウェアの全体図であって、（ａ）は正面図、（ｂ）は背面図を示す。
【図１１】人体を後方側から見た要部概要図を示す。
【図１２】人体を後方側から見た要部概要図であって、（ａ）〜（ｃ）はそれぞれ骨格及び筋肉の一部を示す。
【図１３】人体を後方側から見た要部概要図であって、（ａ）〜（ｃ）はそれぞれ骨格及び筋肉の一部を示す。
【符号の説明】
【００３０】
１      袖
１ａ    基部
１ｂ    第１低伸縮部
２      身頃
２ａ    基部
２ｂ    第２低伸縮部
２ｃ    第３低伸縮部
２４    袖ぐり
５２    棘下筋
５４１  上腕三頭筋長頭
【発明を実施するための最良の形態】
【００３１】
以下、本発明に係るウェアにおける一実施形態について、図１〜図４を参酌して説明する。なお、本願において、上下、左右及び前後の方向は、着用者から見た方向である。【００３２】
まず、本実施形態に係るウェアの説明に先立ち、図１１〜図１３を参酌して、本発明の機能を説明する際に主に用いる筋肉や骨格の配置について説明する。人体には、上肢の背面側の筋として、棘上筋５１、棘下筋５２、小円筋５３、上腕三頭筋５４等がある。【００３３】
棘上筋５１は、肩甲骨（棘上窩）６１より起こり、上腕骨６２（大結節）に停止し、肩甲棘６１１の上方側に配置され、上腕の外転に係わる。棘下筋５２は、肩甲骨（棘下窩）６１より起こり、上腕骨（大結節）６２に停止し、肩甲棘６１１の下方側に配置され、上腕の外旋に係わる。小円筋５３は、肩甲骨（後面の外側縁）６１より起こり、上腕骨（大結節）６２に停止し、棘下筋５２の下方側に配置され、上腕の外旋に係わる。【００３４】
上腕三頭筋５４は、三頭（長頭、内側頭、外側頭）５４１，５４２，５４３からなる。上腕三頭筋長頭５４１は、肩甲骨（間接上結節）６１より起こり、尺骨（肘頭）６３に停止し、上腕の後傾及び内転や、腕の伸展に係わる。上腕三頭筋内側頭５４２は、上腕骨（後面で橈骨神経溝の上内側）６２より起こり、尺骨（肘頭）６３に停止し、腕の伸展に係わる。上腕三頭筋外側頭５４３は、上腕骨（後面で橈骨神経溝の上外側）６２より起こり、尺骨（肘頭）６３に停止し、腕の伸展に係わる。【００３５】
本発明に係るウェアは、図１に示すように、半袖のシャツ（Ｔシャツ）であって、各腕の一部を覆う一対の袖１，１と、胴体を覆う身頃２とを備える。そして、ウェアは、伸縮性を有する基部１ａ，２ａと、基部１ａ，２ａよりも伸縮率が小さい低伸縮部１ｂ，２ｂとを備える。なお、袖１に配置される低伸縮部１ｂを第１低伸縮部１ｂといい、図において斜線部で示し、また、身頃２に配置される低伸縮部２ｂを第２低伸縮部２ｂといい、図において網掛け部で示す。【００３６】
袖１は、腕の前方側を覆う前袖１１と、腕の後方側を覆う後袖１２とを備え、前袖１１と後袖１２とは、袖山１３及び袖下１４で区分されている。そして、袖１は、腕に挿通されるべく、袖下１４で縫着されることにより、筒状に形成される。また、袖１は、基端側の袖付け１５から先端側の袖口１６に向けて開口が小さくなるように形成される。なお、袖１は、袖付け１５にて身頃２に接続される。【００３７】
各第１低伸縮部１ｂは、後袖１２のみに配置され、基端側の袖付け１５から先端側の袖口１６に向けて延びて配置されている。具体的には、各第１低伸縮部１ｂは、帯状に形成され、袖下１４寄り（下方寄り）に配置される。これにより、前袖１１は、基部１ａのみで構成されることになる。【００３８】
また、各第１低伸縮部１ｂは、基端側の袖付け１５から先端側の袖口１６に向けて幅狭に形成される。そして、各第１低伸縮部１ｂは、第２低伸縮部２ｂよりも伸縮率が小さい。なお、第１低伸縮部１ｂは、第２低伸縮部２ｂの伸縮率は同程度でもよく、また、第１低伸縮部１ｂは、第２低伸縮部２ｂよりも伸縮率が大きくてもよい。【００３９】
身頃２は、胴体の前方側を覆う前身頃２１と、胴体の後方側を覆う後身頃２２とを備え、前身頃２１と後身頃２２とは、側方の脇線２３，２３で区分されている。また、身頃２は、各脇線２３の上方に配置され且つ腕に挿通される袖ぐり２４，２４と、頭や首に挿通される衿（衿ぐり）２５と、下端部の裾２６とを備える。なお、脇線２３と袖ぐり２４との交点、即ち、袖ぐり２４の下端部は、鎌底２７と呼ばれている。【００４０】
そして、身頃２は、脇線２３の部位では、概ね一定幅（横方向の幅寸法が一定）に形成される。即ち、身頃２は、一対の脇線２３が略平行となるように形成される。また、身頃２は、袖ぐり２４の部位では、上方側（衿２５）に向けて幅狭に（横方向の幅寸法が小さく）形成される。即ち、身頃２は、袖ぐり２４の縁線（袖ぐり線）が傾斜しており、袖ぐり２４の縁線と脇線２３とが傾斜して交差するように形成される。【００４１】
さらには、前身頃２１における袖ぐり２４の部位は、後身頃２２における袖ぐり２４の部位に対して、幅広に（横方向の幅寸法が大きく）形成されている。これにより、各袖１は、袖付け１５が袖ぐり２４に縫着されることにより、後方寄りに身頃２と接続されている。【００４２】
第２低伸縮部２ｂは、帯状に形成される。具体的には、第２低伸縮部２ｂの上縁及び下縁は、湾曲状に形成され、第２低伸縮部２ｂの上下方向における中央が直線状に形成される。したがって、第２低伸縮部２ｂは、略平行に配置される一対の脇線２３，２３と略直交するように配置される部位を中央に有する。【００４３】
また、第２低伸縮部２ｂは、後身頃２２のみに配置され、一対の第１低伸縮部１ｂ，１ｂ同士を連結する。具体的には、第２低伸縮部２ｂは、一方の袖ぐり２４から他方の袖ぐり２４に亘って、横方向（脇線２３と直交する方向）に直線状に配置される。これにより、前身頃２１は、基部２ａのみで構成されることになる。さらに、第２低伸縮部２ｂは、袖ぐり２４の下端部（鎌底２７）よりも上方に配置される。【００４４】
なお、ウェアは、袖１における基部１ａ及び第１低伸縮部１ｂ間と、身頃２における基部２ａ及び第２低伸縮部２ｂ間とは、縫い目が生成されないように、成型編みにより形成されている。そして、ウェアは、各低伸縮部１ｂ，２ｂには、基部１ａ，２ａよりも伸縮率が小さくなるような編み方を採用している。【００４５】
例えば、本実施形態においては、基部１ａ，２ａは、ナイロン、キュプラの混繊糸及びキュープ糸（「キュープ」は東レ株式会社製高吸湿性ナイロン繊維の商標）をプレーティング編するコースと、ＳＣＹ（芯材：ポリウレタン弾性糸(２０デニール)／鞘材：ナイロン(４０デニール)）のコースとを交編した天竺編組織としている。【００４６】
また、第１低伸縮部１ｂは、ウエルトなどの組合せによるスパイラル編組織としており、伸縮率の小さいキュープ糸同士が縦につながるように編まれることで縦方向（袖１の筒軸方向）の伸びが制限される。そして、第２低伸縮部２ｂは、ウエルト組織としており、横方向の伸びが制限される。【００４７】
次に、着用者がウェアを着用した場合における各低伸縮部１ｂ，２ｂの配置等を説明する。着用者がウェアを着用すると、図２及び図３に示すように、伸縮性を有する基部１ａ，２ａ及び各低伸縮部１ｂ，２ｂが伸長することにより、ウェアが着用者の身体に密着する。【００４８】
各第１低伸縮部１ｂは、前後方向において、上腕骨６２と重なるように配置される。そして、各第１低伸縮部１ｂは、腕に沿って配置されている。具体的には、各第１低伸縮部１ｂは、腕の後方側で、上腕三頭筋長頭５４１の一部を覆うように配置されている。【００４９】
第２低伸縮部２ｂは、背中周りに沿って配置される。そして、第２低伸縮部２ｂは、棘下筋５２の上半分を覆うように配置される。具体的には、袖ぐり２４の下端部（鎌底２７）よりも上方に配置されている第２低伸縮部２ｂは、棘上筋５１、棘下筋５２及び小円筋５３を覆うように配置される。【００５０】
以上より、本実施形態に係るウェアによれば、低伸縮部１ｂ，２ｂは、各袖１に配置される第１低伸縮部１ｂと、後身頃２２に配置されて第１低伸縮部１ｂ，１ｂ同士を連結する第２低伸縮部２ｂとのみからなるため、各第１低伸縮部１ｂが腕を締め付け、その結果、袖１が腕に対して位置ずれするのを規制する、即ち、袖１を腕に固定する。したがって、図４（ａ）に示すように、歩行の際に、着用者が一方の腕（右腕）を前方に振ると、一方の第１低伸縮部１ｂが前方に向けて引かれる。【００５１】
そして、一方の第１低伸縮部１ｂを前方に引く力が、身頃２に配置される第２低伸縮部２ｂを介して、他方の第１低伸縮部１ｂに伝えられる。このとき、第２低伸縮部２ｂが背中周りに沿って直線状に配置されているため、当該力が分散することを防止している。【００５２】
これにより、他方の第１低伸縮部１ｂが後方に向けて引かれるため、他方の腕（左腕）が後方に向けて引かれる。したがって、着用者が腕の振り（特に後方への振り）を大きくできるため、着用者が歩行する際に腕を振ることを促進させる。【００５３】
また、本実施形態に係るウェアによれば、各第１低伸縮部１ｂが袖下１４寄りに配置されているため、第１低伸縮部１ｂが肩関節から離反した位置で上腕骨６２と重なるように配置されている。これにより、着用者が一方の腕を前方に振ることにより、他方の腕が後方に向けて引かれるという力は、テコの原理に基づき、大きくなる。したがって、着用者は、腕の振りをより大きくすることができる。【００５４】
ところで、第２低伸縮部２ｂが棘下筋５２を押さえない場合には、図４（ｂ）に示すように、着用者が前後方向に対して傾斜する方向（図４（ｂ）におけるＡ矢印方向）に腕を振る、即ち、着用者が腕を交差するように振ってしまいがちである。【００５５】
それに対して、本実施形態に係るウェアによれば、第２低伸縮部２ｂが棘下筋５２を覆うように配置されるため、第２低伸縮部２ｂが棘下筋５２を押さえる。これにより、棘下筋５２が収縮するため、各腕が外旋方向（図４（ｂ）におけるＢ矢印方向）の力を受ける。【００５６】
したがって、第２低伸縮部２ｂが棘下筋５２を押さえることにより、着用者は、真っ直ぐ前後方向に（図４（ｂ）におけるＣ矢印方向）腕を振ること、即ち、腕同士を平行に振ることができる。その結果、着用者は、歩行する際に、腕の振りをさらに大きくすることができる。【００５７】
また、本実施形態に係るウェアによれば、第２低伸縮部２ｂが棘下筋５２の上半分のみを覆うように配置され、袖１に配置される各第１低伸縮部１ｂと連結している。これにより、基部２ａが棘下筋５２の下半分を覆うため、着用者が純粋に側方へ外転運動を行う場合に伴う上腕骨の後傾を促し、同時に肩甲骨６１の運動を妨げない。【００５８】
さらに、９０°以上の外転すなわち挙上では肩甲骨６１が過度に運動することになり、その円滑な運動を妨げない。その結果、腕を大きく振ることができるだけでなく、腕を円滑に上げる（挙上する）こともできる。したがって、長時間着用されても、着用者の身体に負担をかけることがない。【００５９】
また、本実施形態に係るウェアによれば、各第１低伸縮部１ｂが後袖１２のみに配置されているため、着用者が前方へ腕を振ると、当該腕に配置される第１低伸縮部１ｂが伸長するため、当該第１低伸縮部１ｂは、収縮しようとする。これにより、後方に向けて腕を付勢するため、着用者が腕を後方へ振ることを助長できる。【００６０】
しかも、各第１低伸縮部１ｂが腕の後方側のみに配置されているため、各第１低伸縮部１ｂが腕を挟んで配置されている場合に対して、各第１低伸縮部１ｂは、筋肉（例えば上腕二頭筋）が隆起することを規制せず、また、着用者が腕を上げることを妨げない。これにより、長時間着用されても、着用者の身体に負担をかけることがない。【００６１】
また、本実施形態に係るウェアによれば、各第１低伸縮部１ｂが上腕三頭筋長頭５４１の一部を覆うように配置されるため、各第１低伸縮部１ｂが上腕三頭筋長頭５４１を押さえる。これにより、上腕三頭筋長頭５４１が収縮するため、腕が後方に傾くような力を受ける。その結果、着用者が腕の振りをさらに大きくできる。【００６２】
また、本実施形態に係るウェアによれば、各第１低伸縮部１ｂが袖口１６に向けて延びて配置されているため、各第１低伸縮部１ｂが腕に沿って配置される。これにより、各第１低伸縮部１ｂが腕を締め付けるため、袖１が腕に対して密着される。さらに、第１低伸縮部１ｂは、腕の動作に伴って、袖１が腕に沿って伸びることを規制できる。したがって、着用者が一方の腕を前方に振ると、他方の腕がより強く後方に引かれる。【００６３】
また、本実施形態に係るウェアによれば、各袖１が後方寄りに身頃２と接続されているため、着用者は、ウェアを着用した際に、袖１を身体の中心に向けて前方へ変位するように、後身頃２２を横方向に伸ばそうとする。しかしながら、後身頃２２に配置される第２低伸縮部２ｂが当該伸びを規制する。したがって、着用者は、腕が後方へ向けて押されるような力を受けるため、腕の後方への振りをさらに大きくできる。【００６４】
また、本実施形態に係るウェアは、基部１ａ，２ａ及び低伸縮部１ｂ，２ｂから構成されているため、着用者の上半身の表面にほぼ密着した状態で着用される。これにより、腕を振ることを促進させるという効果をより確実に実現できる。【００６５】
なお、本発明に係るウェアは、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。【００６６】
上記実施形態に係るウェアにおいては、半袖のシャツである場合を説明したが、斯かる場合に限られない。例えば、図５に示すように、長袖のシャツである場合でもよい。【００６７】
また、上記実施形態に係るウェアにおいては、第１低伸縮部１ｂが後袖１２の袖口１６まで延在される場合を説明したが、斯かる場合に限られない。例えば、図６（ａ）に示すように、第１低伸縮部１ｂが後袖１２の袖付け１５側のみに配置される場合でもよい。要するに、着用された際に、前後方向において、上腕骨６２と重なるように第１低伸縮部１ｂが配設されていればよい。【００６８】
また、上記実施形態に係るウェアにおいては、第１低伸縮部１ｂが帯状に形成されて袖下１４寄り（下方寄り）に配置される場合を説明したが、斯かる場合に限られない。例えば、図６（ｂ）に示すように、第１低伸縮部１ｂが袖口１６側で分岐する場合でもよく、また、第１低伸縮部１ｂが袖付け１５側で分岐する場合でもよく、そして、第１低伸縮部１ｂが腕に巻きつくように、即ち、螺旋状に配置される場合でもよく、さらに、第１低伸縮部１ｂが後袖１２の全体に配置される場合でもよく、加えて、一つの袖１に対して複数の第１低伸縮部１ｂが並設される場合でもよい。【００６９】
また、上記実施形態に係るウェアにおいては、第１低伸縮部１ｂが上腕三頭筋長頭の一部を覆うように配置される場合を説明したが、斯かる場合に限られない。例えば、図７に示すように、第１低伸縮部１ｂは、前袖１１及び後袖１２のそれぞれ袖下１４側に配置され、上腕三頭筋長頭５４１の全体を覆うように配置される場合でもよい。【００７０】
また、上記実施形態に係るウェアにおいては、第２低伸縮部２ｂが肩甲骨６１の上方側、即ち、棘上筋５１、棘下筋５２及び小円筋５３を覆うように配置される場合を説明したが、斯かる場合に限られない。例えば、図８（ａ）に示すように、第２低伸縮部２ｂは、外旋に係る棘下筋５２及び小円筋５３のみを覆うように配置される場合でもよい。【００７１】
また、上記実施形態に係るウェアにおいては、第２低伸縮部２ｂが鎌底２７の上方に配置され棘下筋５２の上半分のみを覆う場合を説明したが、斯かる場合に限られない。例えば、図８（ｂ）に示すように、第２低伸縮部２ｂは、脇線２３及び袖ぐり２４の部位、即ち、袖ぐり２４の下端部（鎌底２７）の上方側だけでなく、下方側にも配置され、棘下筋５２の全体を覆う場合でもよい。【００７２】
また、上記実施形態に係るウェアにおいては、第２低伸縮部２ｂが帯状に形成されかつ直線状に配置される場合を説明したが、斯かる場合に限られない。例えば、図９（ａ）に示すように、第２低伸縮部２ｂが複数並設される場合でもよく、また、図９（ｂ）に示すように、第２低伸縮部２ｂが直線状の部位（図９（ｂ）における太線Ｄの部位）を有しつつ湾曲して配置される場合でもよい。なお、力が分散するのを防止すべく、第２低伸縮部２ｂが直線状の部位を有する方が好ましい。【００７３】
また、上記実施形態に係るウェアにおいては、第２低伸縮部２ｂが後身頃２２にのみ配置される場合を説明したが、斯かる場合に限られない。具体的には、第２低伸縮部２ｂは、着用者が腕の振りを大きくすることを抑制（妨害）しない範囲、例えば、前身頃２１の袖ぐり２４の下端部（鎌底２７）よりも下方側に配置される場合でもよい。【００７４】
即ち、図１０に示すように、身頃２は、各袖１を接続する袖ぐり２４の下端部（鎌底２７）より少なくとも上方側で且つ前方側が基部のみからなる場合でもよく、さらに換言すれば、低伸縮部１ｂ，２ｂ，２ｃは、各袖１に配置される第１低伸縮部１ｂと、身頃２の後方側に配置され、第１低伸縮部１ｂ，１ｂ同士を連結する第２低伸縮部２ｂと、身頃２の少なくとも前方側に配置される第３低伸縮部２ｃとを備え、第３低伸縮部２ｃは、各第１低伸縮部１ｂと離間して配置される場合でもよい。【００７５】
要するに、第２低伸縮部２ｂは、前身頃２１に配置される場合においては、各第１低伸縮部１ｂと離間して配置され、その結果、一方の腕が前方に振られることに伴って、一方の第１低伸縮部１ｂが前方に引かれることにより、他方の第１低伸縮部１ｂを後方に引くように構成されていればよい。【００７６】
また、上記実施形態に係るウェアにおいては、袖１，１と身頃２とが縫着される場合を説明したが、かかる場合に限られない。例えば、袖１，１と身頃２とが一体に形成される場合、即ち、縫着（接合）されない場合でもよい。【００７７】
また、上記実施形態に係るウェアにおいては、各低伸縮部１ｂ，２ｂは、基部１ａ，２ａよりも、伸縮率が小さくなるように編まれて形成される場合を説明したが、かかる場合に限られない。例えば、各低伸縮部１ｂ，２ｂは、基部１ａ，２ａに、伸縮率が小さい糸を挿入、または伸縮率が小さい糸に切り替えて編成して形成される場合でもよく、また、基部１ａ，２ａに、低伸縮性の素材を縫着及び貼着されて形成される場合でもよく、また、基部１ａ，２ａに、シリコンスクリーンプリントを塗布されて形成される場合でもよい。さらには、所定の大きさに切断された基部１ａ，２ａと低伸縮部１ｂ，２ｂとが縁部同士で縫着（接合）される場合でもよい。【００７８】
また、本発明に係るウェアは、基部１ａ，２ａが複数の素材から形成される場合でもよい。要するに、基部１ａ，２ａは、各低伸縮部１ｂ，２ｂよりも伸縮率が大きく形成されていればよい。
【図１】
2010100721.tif 000003
【図２】
2010100721.tif 000004
【図３】
2010100721.tif 000005
【図４】
2010100721.tif 000006
【図５】
2010100721.tif 000007
【図６】
2010100721.tif 000008
【図７】
2010100721.tif 000009
【図８】
2010100721.tif 000010
【図９】
2010100721.tif 000011
【図１０】
2010100721.tif 000012
【図１１】
2010100721.tif 000013
【図１２】
2010100721.tif 000014
【図１３】
2010100721.tif 000015
【国際調査報告】
2010100721.tif 000016
2010100721.tif 000017
2010100721.tif 000018
2010100721.tif 000019
2010100721.tif 000020
2010100721.tif 000021
2010100721.tif 000022